(57)【要約】【課題】クラウン前面における下縁から頂部付近に亘って型崩れを防止するだけでなく、前立とクラウンとの隙間にシート状の冷却材を収容したり、前立をクラウンから下ろして着用者の顔面を前立で覆ったりなど、使用形態のバリエーションの豊富な帽子を提供する。【解決手段】帽子を、メッシュ素材１１で形成された前立１０がクラウン２０の内部に設けられたものとして、前立１０を正面視山形に形成してその下縁をクラウン２０の下縁に縫着し、前立１０における下縁を除いた部分をクラウン２０に対して縫着しないものとした。したがって、前立１０をクラウン２０から下ろすことにより、前立１０で着用者の鼻や口を覆うことができるようになる。【選択図】図１
2010106400.tif 000002
【特許請求の範囲】
【請求項１】
メッシュ素材で形成された前立がクラウン内部に設けられた帽子であって、前立が正面視山形に形成されてその下縁がクラウンの下縁に縫着され、前立における下縁を除いた部分がクラウンに対して縫着されず、前立をクラウンから下ろすことにより、前立で着用者の鼻又は口を覆うことができるようにしたことを特徴とする帽子。
【請求項２】
前立の高さが１０〜２５ｃｍである請求項１記載の帽子。
【請求項３】
前立の横幅が１０〜３０ｃｍである請求項１記載の帽子。
【請求項４】
前立における一対の側縁を補強テープによって補強した請求項１記載の帽子。
【請求項５】
ｎ個（ｎは５以上の任意の奇数）の点Ｐ１，Ｐ２，・・・，Ｐｎ−１，Ｐｎを頂点とする凹ｎ角形Ｐ１Ｐ２・・・Ｐｎ−１Ｐｎ（但し、点Ｐｍ（ｍは３以上、ｎ−２以下の全ての奇数）を頂点とする内角は１８０°よりも大きく、他の点を頂点とする内角は１８０°未満とし、辺Ｐｍ−１Ｐｍと辺ＰｍＰｍ＋１の長さは等しいものとする。）状に裁断された前記メッシュ素材における辺Ｐｍ−１Ｐｍと辺ＰｍＰｍ＋１とを重ねて互いに固定することにより、前立てを正面視山形に形成した請求項１記載の帽子。
【請求項６】
前記メッシュ素材における辺Ｐｍ−１Ｐｍと辺ＰｍＰｍ＋１とを重ねた部分を補強テープによって補強した請求項５記載の帽子。
【発明の詳細な説明】
【技術分野】
【０００１】
本発明は帽子に関する。
【背景技術】
【０００２】
野球帽などでは、クラウンの型崩れを防止するため、保形性を有する素材で形成された前立をクラウン内部に収容することが行われている。前立は、横長の矩形状に形成され、その下縁をクラウンの下縁に縫着することによって取り付けられることが多い（例えば、特許文献１）。前立は、クラウンの通気性を阻害しないように、通常、メッシュ素材で形成される。
【０００３】
ところが、従来の帽子における前立は、その高さが５〜６ｃｍと低かったため、クラウン前面における下部しか支持することができず、クラウン前面における上部を支持することができなかった。このため、従来の帽子は、着用を繰り返すと、クラウン上部のドーム形状が崩れてしまいやすかった。帽子メーカには、クラウン下部だけでなく、クラウン上部の型崩れも防止できるようにして欲しいとの要望が寄せられていた。
【０００４】
また、中学校や高等学校の野球部員の中には、格好をつけるため、クラウン上部を故意に潰した野球帽を好んで着用する者もいた。しかし、このような帽子の着用の仕方は、野球の指導者や観客には不評であった。帽子メーカには、クラウンに癖をつけにくく、故意であってもクラウン上部を潰しにくくした帽子を開発して欲しいとの要望も寄せられていた。
【０００５】
このような実状に鑑みてか、これまでには、前立を正面視略三角形状に形成することにより、クラウン前面における下縁から頂部付近までを支持できるようにした帽子（例えば、特許文献２を参照。）も提案されている。ところが、前立を正面視略三角形状に形成してその高さを高くしようとすると、幅狭の二等辺三角形に形成された複数枚の生地を横方向につなぐことにより前立を形成しなければならず、帽子の製造コストが増大するばかりか、前立の強度が低下するおそれもあった。
【０００６】
というのも、一般的な野球帽などにおいて、クラウン前面の下縁から頂部にかけては、略球面状に湾曲（横方向だけでなく高さ方向にも湾曲）しているため、直平面状に裁断された１枚の生地で形成された前立は、どのように湾曲させたとしても、クラウン前面に綺麗に沿わせることができないからである。
【０００７】
従来の帽子における前立が、クラウン下部にのみ配され、クラウン上部まで延在されなかったのは、このような理由がネックになっていたと考えられる。クラウン前面の下縁付近は、高さ方向にはそれほど湾曲しておらず、実質的に横方向のみに湾曲しているとみなせるため、クラウン下部のみを前立で支持するのであれば、直平面状に裁断された１枚の生地で形成された前立であってもクラウン前面に容易に沿わせることができる。
【０００８】
また、特許文献２の帽子は、前立の下縁だけでなく、前立の一対の側縁もクラウンに対して縫着するものとなっており、前立をクラウンに完全に固定したものとなっていた。このため、特許文献２の帽子は、クラウンと前立との隙間にシート状の冷却材を収容することも、前立をクラウンから下ろして着用者の顔面を前立で覆うこともできず、使用形態のバリエーションに乏しいものとなっていた。
【０００９】
【特許文献１】特開２００７−０３１８７０号公報（図３、図５）
【特許文献２】特開平０７−２９２５１２号公報（図１）
【発明の開示】
【発明が解決しようとする課題】
【００１０】
本発明は、上記課題を解決するためになされたものであり、クラウン前面における下縁から頂部付近に亘って型崩れを防止するだけでなく、前立とクラウンとの隙間にシート状の冷却材を収容したり、前立をクラウンから下ろして着用者の顔面を前立で覆ったりなど、使用形態のバリエーションの豊富な帽子を提供するものである。また、帽子の製造コストを抑えることも本発明の目的である。
【課題を解決するための手段】
【００１１】
上記課題は、メッシュ素材で形成された前立がクラウン内部に設けられた帽子であって、前立が正面視山形（正面視略三角形状）に形成されてその下縁がクラウンの下縁に縫着され、前立における下縁を除いた部分がクラウンに対して縫着されず、前立をクラウンから下ろすことにより、前立で着用者の鼻又は口を覆うことができるようにしたことを特徴とする帽子を提供することによって解決される。
【００１２】
これにより、クラウン前面における下縁から頂部付近に亘って型崩れを防止するだけでなく、前立とクラウンとの隙間にシート状の冷却材を収容したり、前立をクラウンから下ろすことにより着用者の顔面を前立で覆ったりなど、帽子の使用形態のバリエーションを豊富にすることも可能になる。
【００１３】
本発明の帽子において、前立の高さ（前立の頂部から下縁に下ろした垂線の前立の湾曲に沿った長さ）は、特に限定されないが、低すぎると、クラウン前面における上部を前立で十分に支持できなくなるおそれがある。また、前立をクラウンから下ろした際に、前立で着用者の鼻や口を覆うことができなくなる。このため、前立の高さは、通常、１０ｃｍ以上とされる。前立の高さは、１１ｃｍ以上であると好ましく、１２ｃｍ以上であるとより好ましく、１３ｃｍ以上であるとさらに好ましい。
【００１４】
一方、前立が高すぎると、前立をクラウン前面だけでなく、クラウン背面にも沿わせなければならなくなり、前立をクラウンに綺麗に沿わせることが困難になるおそれがある。また、前立をクラウン内部に収容しにくくなるおそれもある。このため、前立の高さは、通常、２５ｃｍ以下とされる。前立の高さは、２２ｃｍ以下であると好ましく、２０ｃｍ以下であるとより好ましく、１８ｃｍ以下であるとさらに好ましい。
【００１５】
また、本発明の帽子において、前立の横幅（前立の下縁のその湾曲に沿った長さ）も、特に限定されないが、狭すぎると、前立で支持できる幅が狭くなり、クラウンの型崩れを防ぎにくくなるおそれがある。また、前立をクラウンから下ろした際に、前立で着用者の顔面を十分に覆うことができなくなるおそれもある。このため、前立の横幅は、通常、１０ｃｍ以上とされる。前立の横幅は、１１ｃｍ以上であると好ましく、１２ｃｍ以上であるとより好ましく、１３ｃｍ以上であるとさらに好ましい。
【００１６】
一方、前立の横幅が広すぎると、前立をクラウンの内部に収容しにくくなるばかりか、前立をクラウンから下ろしにくくなるおそれがある。このため、前立の横幅は、通常、３０ｃｍ以下とされる。前立の横幅は、２５ｃｍ以下であると好ましく、２２ｃｍ以下であるとより好ましく、２１ｃｍ以下であるとさらに好ましい。
【００１７】
さらに、本発明の帽子において、前立における一対の側縁は、メッシュ素材がそのまま露出するようにしてもよいが、この場合には、前立が側縁からほつれるおそれがある。このため、前立における一対の側縁は、パイピング処理を施すなど、補強テープによって補強すると好ましい。これにより、前立の側縁のほつれを防止するだけでなく、前立の剛性を向上させてその保形性をより高めることも可能になる。
【００１８】
さらにまた、本発明の帽子において、前立は、クラウン前面に沿う正面視山形のものであれば特に限定されないが、図５に示すように、ｎ個（ｎは５以上の任意の奇数）の点Ｐ１，Ｐ２，・・・，Ｐｎ−１，Ｐｎを頂点とする凹ｎ角形Ｐ１Ｐ２・・・Ｐｎ−１Ｐｎ状に裁断された前記メッシュ素材における辺Ｐｍ−１Ｐｍと辺ＰｍＰｍ＋１とを重ねて互いに固定することにより、前立てを正面視山形に形成したものであると好ましい。但し、点Ｐｍ（ｍは３以上、ｎ−２以下の全ての奇数）を頂点とする内角は１８０°よりも大きく、他の点を頂点とする内角は１８０°未満とし、辺Ｐｍ−１Ｐｍと辺ＰｍＰｍ＋１の長さは等しいものとする。
【００１９】
これにより、直平面状に裁断された１枚の生地（メッシュ素材）で形成された前立を略球面状に湾曲させることが可能になる。したがって、略球面状に湾曲したクラウン前面に前立を綺麗に沿わせるだけでなく、前立を縫着する手間を削減して帽子の製造コストを抑えることも可能になる。また、前立の剛性を増大させて、前立をより保形性に優れたものとすることも可能になる。
【００２０】
ｎの値は、５以上の奇数であれば特に限定されないが、大きすぎると、前記メッシュ素材における重ねて互いに固定する箇所（辺Ｐｍ−１Ｐｍと辺ＰｍＰｍ＋１の数）が多くなりすぎて、帽子の製造コストを抑えることが困難になるおそれがある。このため、ｎの値は、通常、１３以下とされる。ｎの値は、１１以下であると好ましく、９以下であるとより好ましく、７以下であるとさらに好ましい。
【００２１】
前立を形成する前記メッシュ素材を凹ｎ角形Ｐ１Ｐ２・・・Ｐｎ−１Ｐｎ状に裁断した場合には、前記メッシュ素材における辺Ｐｍ−１Ｐｍと辺ＰｍＰｍ＋１とを重ねた部分を補強テープによって補強すると好ましい。これにより、前立を形成するメッシュ素材が、辺Ｐｍ−１Ｐｍや辺ＰｍＰｍ＋１を起点としてほつれるのを防止することが可能になる。また、辺Ｐｍ−１Ｐｍと辺ＰｍＰｍ＋１とを重ねた部分を補強した補強テープによって前立の剛性を向上させることが可能になり、前立の保形性をより優れたものとすることも可能になる。
【発明の効果】
【００２２】
以上のように、本発明によって、クラウン前面における下縁から頂部付近に亘って型崩れを防止するだけでなく、前立とクラウンとの隙間にシート状の冷却材を収容したり、前立をクラウンから下ろして着用者の顔面を前立で覆ったりなど、使用形態のバリエーションの豊富な帽子を提供することが可能になる。また、帽子の製造コストを抑えることも可能になる。
【発明を実施するための最良の形態】
【００２３】
本発明の帽子の好適な実施態様を、図面を用いてより具体的に説明する。図１は、本発明の帽子を、クラウンと、クラウン裏打ち材と、前立と、ビン皮と、鍔とに分解した状態を示した斜視図である。図２は、本発明の帽子における前立を形成するメッシュ素材を示した展開図である。図３は、本発明の帽子を下側から見た状態を示した底面図である。図４は、本発明の帽子をその前立をクラウンから下ろして着用した状態を示した斜視図である。
【００２４】
１．帽子の概要
本発明の帽子は、図１に示すように、メッシュ素材１１を正面視山形に形成した前立１０をクラウン２０の内部に設けたものとなっている。前立１０の下縁は、クラウン２０の下縁に縫着されているものの、前立１０における下縁を除いた部分は、クラウン２０に対して縫着されていない。このため、前立１０は、その下縁を軸として回動させることができるようになっており、図４に示すように、クラウン２０から下ろすこともできるようになっている。
【００２５】
クラウン２０から下ろした前立１０の用途は、特に限定されない。本発明の帽子は、前立１０が高く形成されているので、それをクラウン２０から下ろした際には、着用者の目だけでなく、鼻や口を覆うことも可能である。このため、クラウン２０から下ろした前立１０は、例えば、着用者の鼻や口を覆うガーゼの保持体として利用することができる。前立１０は、メッシュ素材１１で形成されており、透光性を有するので、着用者は、前立１０を下ろしても、周囲を視認することが可能となっている。
【００２６】
２．前立
前立１０は、クラウン２０の前面に沿う正面視山形のものであれば特に限定されず、幅狭の二等辺三角形状に形成された複数枚の生地（メッシュ素材１１）を横方向につなぎ合わせたものであってもよい。しかし、本実施態様の帽子において、前立１０は、１枚の生地（メッシュ素材１１）によって形成している。このため、複数枚のメッシュ素材１１を互いに縫着する手間を削減するだけでなく、前立１０の保形性を向上させることも容易となっている。
【００２７】
より具体的に説明すると、前立１０を形成するメッシュ素材１１は、図２に示すように、左右対称（点Ｐ３と点Ｑとを通る直線に対して線対称）な略凹五角形Ｐ１Ｐ２Ｐ３Ｐ４Ｐ５に裁断されたものを使用している。本実施態様の帽子において、メッシュ素材１１の点Ｐ３を頂点とする内角は、１８０°よりも大きくなっており、点Ｐ１，Ｐ２，Ｐ４，Ｐ５を頂点とする他の内角は、いずれも１８０°未満となっている。
【００２８】
このメッシュ素材１１における辺Ｐ２Ｐ３と辺Ｐ３Ｐ４とを重ねて互いに固定すると、メッシュ素材１１は、図１に示すように、メッシュ素材１１の概形を正面視山形としながらも、メッシュ素材１１の全体を略球面状に湾曲させることができる。したがって、前立１０をクラウン２０の前面に綺麗に沿わせることが可能になり、クラウン２０の内部に収容した前立１０とクラウン２０との間に隙間が形成されたり、前立１０やクラウン２０に不恰好なシワや折り目が形成されたりするのを防ぐことが可能になる。
【００２９】
また、略球面状に湾曲した前立１０をクラウン２０の内部に収容された状態から、図４に示すように、クラウン１０から下ろした状態とするためには、前立１０の中央部が外側（前立１０がクラウン２０の内部に収容された際にクラウン２０に対向する側）から内側（前立１０がクラウン２０の内部に収容された際に着用者の頭部に対向する側）に押されてその凹凸が逆転するが、メッシュ素材１１を上記のように形成することによって、この凹凸の逆転がスムーズに行われるようになる。
【００３０】
前立１０の高さ（前立１０の頂部から下縁に下ろした垂線の前立の湾曲に沿った長さ。本実施態様の帽子においては、図２における線分Ｐ２Ｐ３と線分Ｐ３Ｑとを足した長さに略一致する。）と、前立１０の横幅（前立１０の下縁のその湾曲に沿った長さ。本実施態様の帽子においては、図２における線分Ｐ１Ｐ５の長さに略一致する。）は、既に述べたように、特に限定されない。帽子の用途やサイズなどを考慮して適宜決定される。本実施態様の帽子において、前立１０の高さと横幅は、いずれも約１６ｃｍとなっている。
【００３１】
メッシュ素材１１における辺Ｐ２Ｐ３と辺Ｐ３Ｐ４との固定方法は、特に限定されない。本実施態様の帽子においては、図１に示すように、メッシュ素材１１における辺Ｐ２Ｐ３と辺Ｐ３Ｐ４とに沿う部分を補強テープ１２で被覆し、補強テープ１２とメッシュ素材１１とを互いに縫着することにより固定している。このため、メッシュ素材１１の辺Ｐ２Ｐ３と辺Ｐ３Ｐ４は、外部に露出しないようになっており、メッシュ素材１１が辺Ｐ２Ｐ３と辺Ｐ３Ｐ４を起点としてほつれるのを防止することができるようになっている。また、補強テープ１２で前立１０の剛性を高めることができるようになっている。
【００３２】
前立１０における一対の側縁（図２のメッシュ素材１１の辺Ｐ１Ｐ２に沿う縁部と、辺Ｐ４Ｐ５に沿う縁部）は、メッシュ素材１１を露出させてもよいが、この場合には、メッシュ素材１１が辺Ｐ１Ｐ２や辺Ｐ４Ｐ５を起点としてほつれるおそれがある。このため、本実施態様の帽子においては、メッシュ素材１１における一対の側縁（メッシュ素材１１における辺Ｐ１Ｐ２と辺Ｐ４Ｐ５）とを補強テープ１３（図１と図３を参照）によって補強している。
【００３３】
前立１０を形成するメッシュ素材１１としては、編地や織地などのほか、経糸と緯糸とを互いに接着したものなどが例示される。前立１０を形成するメッシュ素材１１の繊維の材質は、特に限定されないが、通常、合成樹脂が使用される。なかでも、ポリエステルを採用すると、メッシュ素材１１の保形性を向上させるだけでなく、メッシュ素材１１をシワが形成されにくいものとすることができるために好ましい。本実施態様の帽子においても、メッシュ素材１１の経糸と緯糸とをポリエステル繊維で形成している。
【００３４】
３．クラウン
本実施態様の帽子において、クラウン２０は、図１に示すように、略二等辺三角形状の複数枚のれんげをその側縁に沿って互いに縫着することにより構成されている。クラウン２０を形成するれんげの枚数は、特に限定されないが、通常、６〜８枚とされる。本実施態様の帽子においては、左前部２１、右前部２２、左中部２３、右中部２４、左後部２５及び右後部２６の計６枚のれんげによってクラウン２０を形成している。
【００３５】
左前部２１と左中部２３、左中部２３と左後部２５、左後部２５と右後部２６、右後部２６と右中部２４、右中部２４と右前部２２、右前部２２と左前部２１は、それぞれ互いの生地を直に縫着してもよいが、本実施態様の帽子においては、図１と図３に示すように、クラウン２０の内側に配した３本の裏打ち用帯片３０〜３２を介して縫着している。これにより、クラウン２０の強度を高めることが可能になる。
【００３６】
４．ビン皮
本実施態様の帽子においては、図１と図４に示すように、クラウン２０の内側の下縁に沿った部分には、ビン皮４０を設けており、着用者の頭部の汗を吸収することができるようにしている。ビン皮４０の素材は、特に限定されないが、吸水性と速乾性に優れた素材を選択すると好ましい。本実施態様の帽子においては、内側（着用者の頭部側）に太い繊維を用い、外側（クラウン１の外側）に細い繊維を用いた織物（例えば、東レ株式会社製フィールドセンサー（登録商標））を用いている。この織物は、毛細管現象により頭部の汗を速やかに吸収することのできるものとなっている。
【００３７】
ところで、本実施態様の帽子においては、図３に示すように、ビン皮４０を前立１０よりも着用者の頭部に近い側に配したが、この場合には、前立１０をクラウン２０から下ろした際に、ビン皮４０が捩れて帽子の見た目が悪くなるおそれがある。したがって、ビン皮４０を前立１０よりも外側（着用者の頭部から遠くなる側）に配することも好ましい。また、図４に示す破線部に沿ってビン皮４０を切断しておくことも好ましい。これにより、前立１０をクラウン２０から下ろした場合であっても、ビン皮４０が捩れないようにすることが可能になる。
【００３８】
５．鍔
本実施態様の帽子においては、図１と図３と図４に示すように、クラウンの下縁から前方に突出する鍔５０を設けている。このため、本実施態様の帽子は、運動帽や作業帽として好適に使用することができるものとなっている。
【００３９】
６．用途
本発明の帽子は、前立１０を有する形態の帽子であれば、その用途を特に限定されず、各種用途に使用することができる。なかでも、洗濯などによる型崩れが問題となりやすい、運動帽や通学帽や作業帽として好適に採用できる。特に、クラウン上部が故意に押し潰されることが問題となっている野球帽として採用すると好適である。
【図面の簡単な説明】
【００４０】
【図１】本発明の帽子を、クラウンと、クラウン裏打ち材と、前立と、ビン皮と、鍔とに分解した状態を示した斜視図である。
【図２】本発明の帽子における前立を形成するメッシュ素材を示した展開図である。
【図３】本発明の帽子を下側から見た状態を示した底面図である。
【図４】本発明の帽子をその前立をクラウンから下ろして着用した状態を示した斜視図である。
【図５】本発明の帽子における前立を形成するメッシュ素材の一例を示した展開図である。
【符号の説明】
【００４１】
１０  前立
１１  メッシュ素材
１２  補強テープ
１３  補強テープ
２０  クラウン
２１  左前部
２２  右前部
２３  左中部
２４  右中部
２５  左後部
２６  右後部
３０  裏打ち用帯片
３１  裏打ち用帯片
３２  裏打ち用帯片
４０  ビン皮
５０  鍔
【図１】
2010106400.tif 000003
【図２】
2010106400.tif 000004
【図３】
2010106400.tif 000005
【図４】
2010106400.tif 000006
【図５】
2010106400.tif 000007